(57)【要約】      （修正有）【課題】バックライトモジュールに適用可能であり、帰還信号を発生するため高電圧電力信号を受けることができる帰還回路のランプ駆動回路の提供。【解決手段】  ランプを駆動するランプ駆動装置である。帰還回路は降圧ユニット及び整流回路を含む。降圧ユニットは、第１のＤＣ電力信号、第１のＡＣ電力信号又は第１の駆動電力信号に応じて低電圧信号を生じる。整流回路は帰還信号を発生するため低電圧信号を整流する。整流回路は帰還信号を生じる。コントローラは帰還信号に応じて制御信号を生じる。第１のＤＣ−ＡＣ変換器は制御信号に応じて第１のＤＣ電力信号を第１のＡＣ電力信号へ変換する。第１の昇圧ユニットは第１の駆動電力信号を発生するため第１のＡＣ電力信号の電圧を上昇させる。第１の上昇ユニットは第１の駆動電力信号をランプの第１の端へ供給するので、ランプは希望の輝度を安定して実現する。【選択図】  図２
2006086107.tif 000002
【特許請求の範囲】
【請求項１】
少なくとも１台の蛍光ランプを駆動する装置であって、
帰還信号に応じて制御信号を生じるコントローラと
前記制御信号に応じて第１のＤＣ電力信号を第１のＡＣ電力信号へ変換する第１のＤＣ−ＡＣ変換器と、
前記第１のＡＣ電力信号の電圧を上昇させ、第１の駆動電力信号を前記少なくとも１台の蛍光ランプの第１の端に供給する第１の昇圧ユニットと、
帰還回路と
を具備し、
帰還回路が、
前記第１のＤＣ電力信号、前記第１のＡＣ電力信号又は前記第１の駆動電力信号に応じて低電圧信号を生じる降圧ユニットと、
前記低電圧信号を整流し、前記帰還信号を生じる整流回路と
を備える、装置。
【請求項２】
前記制御信号に応じて第２のＤＣ電力信号を第２のＡＣ電力信号へ変換する第２のＤＣ−ＡＣ変換器と、
前記第２のＡＣ電力信号の電圧を上昇させ、第２の駆動電力信号を前記少なくとも１台の蛍光ランプの第２の端に供給する第２の昇圧ユニットと
を更に具備する、請求項１記載の装置。
【請求項３】
前記帰還回路が前記少なくとも１台の蛍光ランプのうちの１つの第１の端及び前記第１の昇圧ユニットに結合される、請求項１記載の装置。
【請求項４】
前記第１の昇圧ユニットが変圧器を備え、前記第１の昇圧ユニットの高電圧側コイルが前記帰還回路を介して一定電圧に結合される、請求項１記載の装置。
【請求項５】
前記帰還回路が前記第１のＤＣ−ＡＣ変換器及び前記第１の昇圧ユニットに結合される、請求項１記載の装置。
【請求項６】
前記少なくとも１台の蛍光ランプの第２の端が一定電圧に結合される、請求項１記載の装置。
【請求項７】
前記少なくとも１台の蛍光ランプのうちの１つの第２の端が前記帰還回路を介して一定電圧に結合され、前記帰還回路が第１の駆動電力に応じて帰還信号を発生する、請求項６記載の装置。
【請求項８】
前記降圧ユニットが帰還回路変圧器を備え、前記帰還回路変圧器が前記第１のＡＣ電力信号又は前記第１の駆動電力信号に対応する電圧を前記低電圧信号へ変換する、請求項１記載の装置。
【請求項９】
前記帰還回路変圧器が帰還回路高電圧側コイル、帰還回路低電圧側コイル、第１のインピーダンスユニット、及び第２のインピーダンスユニットを備え、前記第１のインピーダンスユニット及び前記高電圧側コイルが並列接続され、前記第２のインピーダンスユニット及び前記低電圧側コイルが並列接続される、請求項８記載の装置。
【請求項１０】
前記整流回路が、
前記低電圧信号を整流し供給するフルブリッジ整流回路と、
前記整流された低電圧信号のノイズをフィルタリングし、前記帰還信号を生じるフィルタと
を備える、請求項１記載の装置。
【請求項１１】
前記フィルタがコンデンサ又は抵抗器を備える、請求項１０記載の装置。
【請求項１２】
前記整流回路が、
前記低電圧信号を整流するハーフブリッジ整流回路と、
前記整流された低電圧信号をフィルタリングし、前記帰還信号を生じるフィルタと
を備える、請求項１記載の装置。
【請求項１３】
前記フィルタがコンデンサ又は抵抗器を備える、請求項１０記載の装置。
【請求項１４】
前記昇圧ユニットが増幅器回路を備え、前記増幅器回路が前記第１のＤＣ電力信号、第１のＡＣ電力信号又は前記第１の駆動電力信号に対応する電圧を低電圧信号へ変換する、請求項１記載の装置。
【請求項１５】
前記増幅器回路が、
前記第１の駆動電力信号、前記第１のＤＣ電力信号、又は前記第１のＡＣ電力信号を受ける第１のインピーダンスユニットと、
第２のインピーダンスユニットと、
第３のインピーダンスユニットと、
第４のインピーダンスユニットと、
正入力端、負入力端及び出力端を有し、前記正入力端が前記第２のインピーダンスユニットを介して前記第１のインピーダンスユニットの一端に結合され、前記負入力端が前記第３のインピーダンスユニットを介して前記第１のインピーダンスユニットの他端に結合され、前記出力端が前記第４のインピーダンスユニットを介して前記負入力端に結合され、前記低電圧信号を生じる増幅器と、
一端が前記出力端に結合され、他端が第１の一定電圧に結合されるように適合された第５のインピーダンスユニットと、
一端が前記正入力端に結合され、他端が第２の一定電圧に結合されるように適合された第６のインピーダンスユニットと
を備える、請求項１４記載の装置。
【請求項１６】
前記第１のインピーダンスユニットがコンデンサ又は抵抗器を備える、請求項１５記載の装置。
【請求項１７】
前記第４のインピーダンスユニットが抵抗器を備える、請求項１５記載の装置。
【請求項１８】
前記第１のＤＣ−ＡＣ変換器が、
ＤＣ電源によって供給された前記第１のＤＣ電力信号の電圧を蓄積する少なくとも１台のコンデンサと、
前記コンデンサのクロス電圧に対応する前記第１のＡＣ電力信号を選択的に供給するスイッチユニットと、
を備え、
前記帰還回路が前記ＤＣ電源及び前記コンデンサ、前記コンデンサ及び前記スイッチユニット、又は前記スイッチユニット及び接地ノードに結合される、
請求項１７記載の装置。
【請求項１９】
帰還信号に応じて少なくとも１台の蛍光ランプを駆動するため構成されたランプ駆動回路の帰還回路であって、
前記ランプ駆動回路の位置に結合され、前記位置に対応する電力信号を低電圧信号へ変換する降圧ユニットと、
前記低電圧信号を整流し前記帰還信号を生じる整流回路と
を具備する、帰還回路。
【請求項２０】
前記降圧ユニットが帰還回路変圧器を備え、前記帰還回路変圧器が前記位置に対応する電力信号を前記低電圧信号へ変換する、請求項１９記載の帰還回路。
【請求項２１】
前記帰還回路変圧器が帰還回路高電圧側コイル、帰還回路低電圧側コイル、第１のインピーダンスユニット及び第２のインピーダンスユニットを備え、前記第１のインピーダンスユニット及び前記高電圧側コイルが並列接続され、前記第２のインピーダンスユニット及び前記低電圧側コイルが並列接続される、請求項２０記載の帰還回路。
【請求項２２】
前記整流回路が、
前記低電圧信号を整流し生じるフルブリッジ整流回路と、
前記整流された低電圧信号をフィルタリングし、前記帰還信号を生じるフィルタと
を備える、請求項１９記載の帰還回路。
【請求項２３】
前記フィルタがコンデンサ又は抵抗器を備える、請求項２２記載の装置。
【請求項２４】
前記整流回路が、
前記低電圧信号を整流し供給するハーフブリッジ整流回路と、
前記整流された低電圧信号をフィルタリングし、前記帰還信号を生じるフィルタと、
を備える、請求項１９記載の帰還回路。
【請求項２５】
前記フィルタがコンデンサ又は抵抗器を備える、請求項２４記載の装置。
【請求項２６】
前記昇圧ユニットが増幅器回路を備え、前記増幅器回路が前記位置の電力信号を前記低電圧信号へ変換する、請求項１９記載の帰還回路。
【請求項２７】
前記増幅器回路が、
前記第１の駆動電力信号、前記第１のＤＣ電力信号、又は前記第１のＡＣ電力信号を受ける第１のインピーダンスユニットと、
第２のインピーダンスユニットと、
第３のインピーダンスユニットと、
第４のインピーダンスユニットと、
正入力端、負入力端及び出力端を有し、前記正入力端が第２のインピーダンスユニットを介して第１のインピーダンスユニットの一端に結合され、前記負入力端が前記第３のインピーダンスユニットを介して第１のインピーダンスユニットの他端に結合され、前記出力端が前記第４のインピーダンスユニットを介して前記負入力端に結合され、前記低電圧信号を生じる増幅器と、
一端が前記出力端に結合され、他端が第１の一定電圧に結合されるように適合された第５のインピーダンスユニットと、
一端が正入力端に結合され、他端が第２の一定電圧に結合された第６のインピーダンスユニットと
を備える、請求項２６記載の帰還回路。
【請求項２８】
前記第１のインピーダンスユニットがコンデンサ又は抵抗器を備える、請求項２７記載の装置。
【請求項２９】
前記第４のインピーダンスユニットが抵抗器を備える、請求項２７記載の装置。
【発明の詳細な説明】
【関連出願の相互参照】
【０００１】
本願は２００４年９月１５日に出願された台湾特許出願第９３１２７９４１号の優先権の利益を主張し、その出願の内容は参照によって本明細書に組み入れられる。
【発明の分野】
【０００２】
[0001]本発明は、一般にランプ駆動回路に関し、特にバックライトモジュールに適用されたランプ駆動回路に関する。
【関連技術の説明】
【０００３】
[0002]図１の（Ａ）及び（Ｂ）を参照する。図１の（Ａ）は従来のバックライトモジュールランプ駆動回路の略図であり、図１の（Ｂ）は従来の帰還回路の回路図である。液晶ディスプレイは、表示中に光源を準備するためバックライト源としてバックライトモジュールランプ駆動回路１００内で蛍光ランプ１０２を使用する。従来のバックライトモジュールランプ駆動回路は、帰還回路１０４、ＤＣ−ＡＣ変換器１０６、昇圧ユニット１０８及びコントローラ１１０を具備する。帰還回路１０４は蛍光ランプ１０２を駆動するため必要とされる駆動電力信号ＰＳに応じて帰還信号ＦＳｉを生じ、それにより、バックライトモジュールランプ駆動回路１００は、希望の輝度を実現し、帰還信号ＦＳｉに応じて安定性を保つため蛍光ランプ１０２のための駆動電力信号ＰＳを調整する。普通の整流回路である従来の帰還回路１０４は、ダイオードＤ１及びＤ２と、抵抗器Ｒと、コンデンサＣとを具備し、ＡＣ駆動電力信号ＰＳを整流し、フィルタリングし、次に、帰還信号ＦＳｉを生じる。整流回路が小型液晶ディスプレイに対応するとき、図１に示されるような配列の位置は、蛍光ランプ１０２と接地端、又は昇圧ユニットの高電圧側コイルと接地端との間だけに結合可能である。蛍光ランプ１０２のシングルエンドは接地電圧に接続されるので、帰還回路１０４は低電圧ノードに直列接続される。
【０００４】
[0003]液晶ディスプレイのサイズは徐々に大型化しているので、蛍光ランプ１０２の長さが徐々に長くなり、したがって、蛍光ランプ１０２の始動電圧又は動作電圧も高くなる。蛍光ランプ１０２の長さが９００ｍｍを超えるとき、蛍光ランプ１０２の所要電圧は１．５ｋＶを超える。したがって、大型液晶ディスプレイのバックライトモジュール内のランプ駆動回路１００は、当初の片側駆動モードから両側駆動モードへ発展し、その結果として、蛍光ランプ１０２の両端は低電圧ノードをもたなくなる。しかし、従来の帰還回路１０４が高電圧駆動電力信号ＰＳを帰還信号Ｆｓｉへ変換するため使用されるならば、帰還信号Ｆｓｉの電圧もまた非常に高く、コントローラ１１０はそのまま使用できない。更に、従来の帰還回路１０４の要素は電圧耐性の点で非常に弱いので、高電圧駆動電力信号ＰＳを受け入れることができない。したがって、従来の帰還回路１０４はフローティングシステムバックライトモジュール１００に適用できない。
【特許文献１】米国特許出願公開第２００３／０７６０５４号
【発明の概要】
【０００５】
[0005]したがって、本発明の目的は、ランプ駆動回路、特に、フローティングシステムバックライトモジュールに適用可能であり、帰還信号を発生するため高電圧電力信号を受けることができる帰還回路のランプ駆動回路を提供することである。
【０００６】
[0006]本発明は、ランプを駆動するランプ駆動装置を提供することにより上記目的を達成する。ランプ駆動装置は、コントローラ、第１のＤＣ（直流）−ＡＣ（交流）変換器、第１の昇圧ユニット及び帰還回路を含む。帰還回路は降圧ユニット及び整流回路を含む。降圧ユニットは、第１のＤＣ電力信号、第１のＡＣ電力信号又は第１の駆動電力信号に応じて低電圧信号を生じる。整流回路は帰還信号を発生するため低電圧信号を整流し、整流回路は帰還信号を生じる。コントローラは帰還信号に応じて制御信号を生じる。第１のＤＣ−ＡＣ変換器は制御信号に応じて第１のＤＣ電力信号を第１のＡＣ電力信号へ変換する。第１の昇圧ユニットは第１の駆動電力信号を発生するため第１のＡＣ電力信号の電圧を上昇させる。第１の上昇ユニットは第１の駆動電力信号をランプの第１の端へ更に供給するので、ランプは希望の輝度を安定して達成する。
【０００７】
[0007]本発明のその他の目的、特徴及び効果は以下の好ましい実施形態の詳細な説明から明らかになるが、これらの実施形態に限定されない。以下の説明は添付図面を参照して行われる。
【発明の詳細説明】
【０００８】
［実施形態１］
[0020]図２の（Ａ）及び（Ｂ）を参照すると、本発明の第１の実施形態によるランプ駆動回路の回路図が示されている。ランプ駆動回路２００はバックライト源として蛍光ランプ２０２を駆動するためバックライトモジュールに適用される。大型液晶ディスプレイ内のバックライトモジュールの駆動モードは当初の片側駆動から両側駆動モードへ進展したので、ランプ駆動回路２００の両側に配置された回路は蛍光ランプ２０２に関して対称である。ランプ駆動回路２００は、コントローラ２０４、第１のＤＣ−ＡＣ変換器２０６−１、第２のＤＣ−ＡＣ変換器２０６−２、第１の昇圧ユニット２０８−１、第２の昇圧ユニット２０８−２、及び帰還回路２１０を具備する。コントローラ２０４は帰還信号ＦＳに応じて制御信号ＣＳを生じる。第１のＤＣ−ＡＣ変換器２０６−１及び第２のＤＣ−ＡＣ変換器２０６−２は、それぞれ、スイッチユニット、少なくとも第１のコンデンサＣ１又は第２のコンデンサＣ２のようなコンデンサ、第１のスイッチユニット２１２−１及び第２のスイッチユニット２１２−２を具備する。第１のＤＣ電力信号ＤＣ１及び第２のＤＣ電力信号ＤＣ２は、それぞれ、対応するＤＣ電源によって供給される。コンデンサＣ１及びＣ２は、それぞれ、対応する第１のＤＣ電力信号ＤＣ１及び第２のＤＣ電力信号ＤＣ２の電圧を蓄積する。第１のスイッチユニット２１２−１及び第２のスイッチユニット２１２−２は、制御信号ＣＳに応じて、それぞれ、第１のＡＣ電力信号ＡＣ１及び第２のＡＣ電力信号ＡＣ２を生じる。第１のＡＣ電力信号ＡＣ１及び第２のＡＣ電力信号ＡＣ２は、それぞれ、コンデンサＣ１及びＣ２のクロス電圧に対応する。第１の昇圧ユニット２０８−１及び第２の昇圧ユニット２０８−２の両方は変換器であり、それぞれ、第１のＡＣ電力信号ＡＣ１及び第２のＡＣ電力信号ＡＣ２の電圧を上昇させ、次に、第１の昇圧ユニット２０８−１は第１の駆動電力信号ＰＳ１を蛍光ランプ２０２の第１の端Ｘ１へ供給し、第２の昇圧ユニット２０８−２は第２の駆動電力信号ＰＳ２を蛍光ランプ２０２の第２の端Ｘ２へ供給する。帰還回路２１０は帰還信号ＦＳを発生するため使用される。
【０００９】
[0021]従来の帰還回路内のコンポーネントの特性に起因して、従来の帰還回路によって受けられる電力信号の電圧はあまり高くなり得ないが、これは整流された帰還信号の電圧がコントローラに対しても帰還回路に対しても同様に高くなりすぎないようにするためである。したがって、バックライトモジュール上の従来の帰還回路の配置は、蛍光ランプと接地端との間、又は昇圧ユニットの高電圧側コイルと接地端との間に限られる。
【００１０】
[0022]本発明の帰還回路２１０は降圧ユニット２１４及び整流回路２１６を具備し、降圧ユニット２１４は回路に直列接続され、受けられた電力信号の電圧は適切に低下させられ、次に、電力信号は整流回路２１６へ送られ、整流され、帰還信号ＦＳとして供給される。ランプ駆動回路上の帰還回路２１０の配置は従来の帰還回路の配置の位置に限定されない。降圧ユニット２１４は変圧器でも演算増幅器回路でもよい。二つのタイプの位置が図２の（Ａ）及び（Ｂ）に例示され、第１の位置Ｌ１、第２の位置Ｌ２及び第３の位置Ｌ３は、降圧ユニットが変圧器であるときに使用可能である位置を表し、第１の位置Ｌ１、第２の位置Ｌ２、第３の位置Ｌ３、第４の位置Ｌ４、第５の位置Ｌ５及び第６の位置Ｌ６は、降圧ユニットが増幅器であるときに使用可能である位置を表す。
【００１１】
[0023]更に、降圧ユニット２１４が帰還回路変圧器である場合に関して、図３の（Ａ）及び（Ｂ）に示された本発明の第１の実施形態による帰還回路の回路図を参照する。帰還回路２１０は降圧ユニット２１４及び整流回路２１６を具備する。降圧ユニット２１４は、帰還回路高電圧側コイル３０２、帰還回路低電圧側コイル３０４、第１のインピーダンスユニットＲ１及び第２のインピーダンスユニットＲ２を具備する。第２のインピーダンスユニットＲ２及び低電圧側コイル３０４は並列接続され、同様に第１のインピーダンスユニットＲ１及び高電圧側コイル３０２も並列接続され、第１のインピーダンスユニットＲ１及び第２のインピーダンスユニットＲ２は容量でも抵抗でもよい。その上、第１のインピーダンスユニットＲ１又は第２のインピーダンスユニットＲ２が省かれても、降圧ユニット２１４は依然として機能し得る。
【００１２】
[0024]帰還回路変圧器２１４は、対応した電圧降下を発生させ、電圧を低電圧信号Ｌまで低下させるように、受けた電力信号を送り、第１のインピーダンスユニットＲ１へ流す。帰還回路変圧器は、ＡＣ電力信号だけに基づいて動作させられ、ＡＣ電力信号だけを受けることができるので、帰還回路変圧器２１４によって受けられた電力信号は、第１のＡＣ電力信号ＡＣ１、第２のＡＣ電力信号ＡＣ２、第１の駆動電力信号ＰＳ１又は第２の駆動電力信号ＰＳ２である。整流回路２１６は、ハーフブリッジ整流回路３０６及びフィルタリング回路３０８を具備し、ハーフブリッジ整流回路３０６は低電圧信号Ｌを整流し供給する。フィルタリング回路３０８は、第３のインピーダンスユニットＲ３及び第４のインピーダンスユニットＲ４を具備し、第３のインピーダンスユニットＲ３の一端と第４のインピーダンスユニットＲ４の一端が共にハーフブリッジ整流回路３０６に結合され、第３のインピーダンスユニットＲ３の他端と第４のインピーダンスユニットＲ４の他端は共に接地電圧のような一定電圧に結合される。第３のインピーダンスユニットＲ３及び第４のインピーダンスユニットＲ４は抵抗でも容量でもよい。第３のインピーダンスユニットＲ３又は第４のインピーダンスユニットＲ４もまた省くことができる。フィルタリング回路３０８は整流された低電圧信号Ｌのノイズをフィルタリングし、帰還信号ＦＳを生じる。ハーフブリッジ整流回路３０６は図３の（Ｂ）に示されるようにフルブリッジ整流回路３１０でもよい。図２の（Ａ）及び（Ｂ）において、帰還回路２１０の降圧ユニットは変圧器であり、第１の位置Ｌ１、第２の位置Ｌ２又は第３の位置Ｌ３に配置可能である。次に詳細を説明する。
【００１３】
[0025]第１の位置Ｌ１は、ある要素を第１のＤＣ−ＡＣ変換器２０６−１と第１の昇圧ユニット２０８−１との間、又は第２のＤＣ−ＡＣ変換器２０６−２と第２の昇圧ユニット２０８−２との間に結合することができる位置である。
【００１４】
[0026]第２の位置Ｌ２は、ある要素を第１の昇圧ユニット２０８−１の高電圧側コイル端ＧＶ１と接地電圧との間、又は第２の昇圧ユニット２０８−２の高電圧側コイル端ＧＶ２と接地電圧との間に結合することができる位置である。
【００１５】
[0027]第３の位置Ｌ３は、ある要素を蛍光ランプ２０２の第１の端Ｘ１と第１の昇圧ユニット２０８−１の高電圧側コイル端ＧＶ１’との間、蛍光ランプ２０２の第２の端Ｘ２と第２の昇圧ユニット２０８−２の高電圧側コイル端ＧＶ２’との間に結合することができる位置である。コンデンサＣＸ２がＧＶ１’とＸ１端との間に存在し、例えば、コンデンサＣＸ２の一端がノードＮ１に結合され、コンデンサＣＸ２の他端が接地電圧に接続されるとき、第３の位置Ｌ３は、ある要素をノードＮ１と第１の昇圧ユニット２０８−１の高電圧側コイル端ＧＶ１’との間に結合することができる位置Ｌ３Ａを更に含む。
【００１６】
[0028]コンデンサＣＸ１がＧＶ１’端とＸ１端との間に存在するとき、第３の位置Ｌ３は、ある要素をコンデンサＣＸ１とＧＶ１’との間に結合することができる位置Ｌ３Ｂと、コンデンサＣＸ１及びＸ１端に結合された位置Ｌ３Ｃとを更に含む。
【００１７】
[0029]同様に、コンデンサＣＸ２’又はコンデンサＣＸ１’が第２の昇圧ユニット２０８−２と蛍光ランプ２０２の第２の端Ｘ２との間に存在するとき、間の空間はＬ３Ａ、Ｌ３Ｂ及びＬ３Ｃに分割され、帰還回路２１０は第３の位置Ｌ３のＬ３Ａ、Ｌ３Ｂ及びＬ３Ｃの間のいずれの位置に配置してもよい。
【００１８】
[0030]更に、降圧ユニット２１４が増幅器回路である場合に関して、本発明の第２の実施形態による帰還回路の回路図が示された図４を参照する。降圧ユニット２１４は、第１のインピーダンスユニットＲ１’、第２のインピーダンスユニットＲ２’、第３のインピーダンスユニットＲ３’、第４のインピーダンスユニットＲ４’、第５のインピーダンスユニットＲ５、第６のインピーダンスユニットＲ６及び増幅器４０２を具備する。増幅器４０２は、正入力端、負入力端及び出力端を有し、正入力端は第２のインピーダンスユニットＲ２’を介して第１のインピーダンスユニットＲ１’の一端に結合され、負入力端は第３のインピーダンスユニットＲ３’を介して第１のインピーダンスユニットＲ１’の他端に結合され、第４のインピーダンスユニットＲ４’は出力端を介して負入力端に結合され、それに応じて低電圧信号Ｌを生じる。第５のインピーダンスユニットＲ５の一端は出力端に結合され、他端は接地電圧のような第１の一定電圧に結合される。第６のインピーダンスユニットＲ６の一端は正入力端に結合され、他端は接地電圧のような第２の一定電圧に結合される。容量でも抵抗でもよい第１のインピーダンスユニットＲ１’は、第１のインピーダンスユニットＲ１’を流れる電力信号に対応した電圧降下を生じさせることが可能である。第２のインピーダンスユニットＲ２’及び第３のインピーダンスユニットＲ３’は共に抵抗である。第４のインピーダンスユニットＲ４’は抵抗でも容量でも抵抗容量でもよい。第６のインピーダンスユニットＲ６は抵抗でも容量でもよい。第５のインピーダンスユニットＲ５は抵抗、容量である。第５のインピーダンスユニットＲ５は省くことができる。
【００１９】
[0031]増幅器回路は第１のインピーダンスユニットＲ１’を流れる電力信号の対応する電圧を低電圧信号Ｌに変換し、低電圧信号Ｌを整流回路２１６へ送る。増幅器回路２１４はＡＣ電力信号とＤＣ電力信号の両方の下で動作させることができるので、第１のインピーダンスユニットＲ１’を流れる電力信号は、第１のＤＣ電力信号ＤＣ１、第２のＤＣ電力信号ＤＣ２、第１のＡＣ電力信号ＡＣ１、第２のＡＣ電力信号ＡＣ２、第１の駆動電力信号ＰＳ１又は第２の駆動電力信号ＰＳ２である。整流回路２１６は低電圧信号Ｌを受け、コントローラ２０４に応じて帰還信号ＦＳを生じる。帰還回路２１０の配置は、図２に示されるように、第１の位置Ｌ１、第２の位置Ｌ２、又は第３の位置Ｌ３でもよく、同様に、第４の位置Ｌ４、第５の位置Ｌ５、又は第６の位置Ｌ６でもよい。
【００２０】
[0032]第４の位置Ｌ４は、ある要素を第１のＤＣ−ＡＣ変換器２０６−１のＤＣ電源と第１のコンデンサＣ１との間、又は第２のＤＣ−ＡＣ変換器２０６−２のＤＣ電源と第２のコンデンサＣ２との間に結合することができる位置である。
【００２１】
[0033]第５の位置Ｌ５は、ある要素を第１のコンデンサＣ１と第１のスイッチユニット２１２−１との間、又は第２のコンデンサＣ２と第２のスイッチユニット２１２−２との間に結合することができる位置である。
【００２２】
[0034]第６の位置Ｌ６は、ある要素を第１のスイッチユニット２１２−１と接地端との間、又は第２のスイッチユニット２１２−２と接地端との間に結合することができる位置であり、接地端は接地電圧に結合される。
【００２３】
[0035]上記の７つの位置の中で、いずれの位置でも昇圧ユニット２１４及び整流回路２１６を用いてコントローラ２０４への帰還信号ＦＳを発生させることができるので、コントローラ２０４は蛍光ランプ２０２の輝度を制御するために制御信号ＣＳを生じる。図８を参照すると、本発明による好ましいランプ駆動回路の回路図が示されている。帰還回路２１０は、好ましくは、第３の位置Ｌ３に配置され、蛍光ランプに近づけるほど良好である。
【００２４】
[0036]図５の（Ａ）及び（Ｂ）を参照すると、マルチランプ駆動回路の回路図が示されている。ランプ駆動回路２００は、蛍光ランプ２０２及び２０２−Ｘのような複数台の蛍光ランプを更に駆動することが可能である。同図からわかるように、帰還回路２１０は、蛍光ランプ２０２−Ｘの端Ｘ１’及びＸ２’と、２台の昇圧ユニット２０８−１及び２０８−２の端ＧＶ１及びＧＶ２との間に配置可能である。このような状況下で、帰還回路２１０の配置は、当初のＬ１、Ｌ３Ａ、Ｌ３Ｂ、Ｌ３Ｃ、Ｌ４、Ｌ５及びＬ６の他に、Ｌ３Ｄ、Ｌ３Ｅ、Ｌ３Ｆのいずれの位置でもかまわない。
【００２５】
［実施形態２］
[0037]図６を参照すると、本発明の第２の実施形態によるランプ駆動回路の回路図が示されている。ランプ駆動回路２００’は両側駆動モードから片側駆動モードに変わる。すなわち、ランプ駆動回路２００’は、コントローラ２０４、第１のＤＣ−ＡＣ変換器２０６−１、第１の昇圧ユニット２０８−１、及び帰還回路２１０だけを具備し、蛍光ランプ２０２の第１の端Ｘ１は第１の駆動電力信号ＰＳ１を受け、蛍光ランプ２０２の第２の端Ｘ２は、接地電圧のような一定電圧に接続される。蛍光ランプの駆動モードは両側駆動モードから片側駆動モードへ変わるが、この方法の原理は同じであるため、繰り返し説明しない。
【００２６】
[0038]しかし、本発明の精神は、降圧ユニット２１４及び整流回路２１６をランプ駆動回路上の多数の位置に適用し、帰還信号ＦＳを発生させるべく対応する電力信号を用いるために使用される。降圧ユニット２１４が帰還回路変圧器であるとき、図３の（Ａ）及び（Ｂ）に示されているように、帰還回路２１０の配置の位置は第１の実施形態における位置Ｌ１〜Ｌ３と同じである。更に、蛍光ランプ２０２の第２のシングルエンドＸ２を接地電圧に接続することにより、帰還回路２１０は、蛍光ランプ２０２の第２のシングルエンドＸ２と接地端との間に、すなわち、第７の位置Ｌ７に更に配置することが可能であり、接地端は接地電位に結合されている。
【００２７】
[0039]降圧ユニット２１０が図４に示されるように増幅器回路であるとき、帰還回路の配置は、第１の実施形態における位置Ｌ１〜Ｌ６、並びに、本実施形態における位置Ｌ７と同じ位置である。
【００２８】
[0040]その上、本実施形態のランプ駆動回路は、蛍光ランプ２０２−Ｘのような多数の蛍光ランプを駆動することが可能である。図７を参照すると、多数の蛍光ランプの単一エンド駆動回路の回路図が示されている。同様に、本発明の精神によれば、帰還回路２１０はまた第１の位置Ｌ１及び第３乃至第７の位置Ｌ３〜Ｌ７に配置可能であり、ここで、帰還回路２１０は、当初は第２の位置Ｌ２に配置され、第１の昇圧ユニット２０８−１の高電圧側コイルのため、第１の昇圧ユニット２０８−１の接地端ＧＶ１は蛍光ランプ２０２−Ｘの第１の端Ｘ１’に接続される。したがって、第３の位置Ｌ３は、３個の補助的な位置、すなわち、Ｌ３Ｄ、Ｌ３Ｅ及びＬ３Ｆを有する。
【００２９】
[0041]蛍光ランプの最も近くにある電気信号が帰還信号として選択されるとき、本発明の上記実施形態に記載されたランプ駆動回路は、増幅器回路又は帰還回路変圧器を用いて第１及び第２の駆動電力信号の対応する電圧を低下させることが可能であるため、帰還回路２１０は帰還信号ＦＳを生じる。したがって、蛍光ランプの駆動電圧が高くなればなるほど、帰還信号を獲得することが困難であった。
【００３０】
[0042]本発明は、一例として、好ましい実施形態に関して説明されているが、勿論、本発明はそれらに限定されない。これに対して、多種多様の変形と同様の配置及び手順とを対象とすることが意図されるので、特許請求の範囲はこのような変形と同様の配置及び手順のすべてを包含するように最も広い解釈で認められるべきである。
【図面の簡単な説明】
【００３１】
【図１】（Ａ）は従来のバックライトモジュールランプ駆動回路の略図であり、（Ｂ）は従来の帰還回路の回路図である。
【図２】（Ａ）及び（Ｂ）は本発明の第１の実施形態によるランプ駆動回路の回路図である。
【図３】（Ａ）及び（Ｂ）は本発明の第１の実施形態による帰還回路の回路図である。
【図４】本発明の第２の実施形態による帰還回路の回路図である。
【図５】（Ａ）及び（Ｂ）はマルチランプ駆動回路の回路図である。
【図６】本発明の第２の実施形態によるランプ駆動回路の回路図である。
【図７】多数の蛍光ランプのシングルエンド駆動回路の回路図である。
【図８】本発明による好ましいランプ駆動回路の回路図である。
【符号の説明】
【００３２】
２００，２００’…ランプ駆動回路、２０２…蛍光ランプ、２０４…コントローラ、２０６−１…第１のＤＣ−ＡＣ変換器、２０６−２…第２のＤＣ−ＡＣ変換器、２０８−１…第１の昇圧ユニット、２０８−２…第２の昇圧ユニット、２１０…帰還回路、２１２−１…第１のスイッチユニット、２１２−２…第２のスイッチユニット、２１４…降圧ユニット、２１６…整流回路、３０２…帰還回路高電圧側コイル、３０４…帰還回路低電圧側コイル、３０６…ハーフブリッジ整流回路、３０８…フィルタリング回路、３１０…フルブリッジ整流回路、４０２…増幅器。
【図１】
2006086107.tif 000003
【図２】
2006086107.tif 000004
【図３】
2006086107.tif 000005
【図４】
2006086107.tif 000006
【図５】
2006086107.tif 000007
【図６】
2006086107.tif 000008
【図７】
2006086107.tif 000009
【図８】
2006086107.tif 000010